(57)【特許請求の範囲】
【請求項１】
第１の端部及び第２の端部を有する、一方向に延びる形状の把持部と、該把持部の第１の端部に連接された塗布部とを有する化粧料塗布具であって、
前記塗布部は第１の面及びそれと反対側に位置する第２の面を有する扁平体からなり、
前記化粧料塗布具は、平坦な水平面上に把持部が略水平となる状態で、該水平面と接触する第１接触部及び第２接触部を、該把持部の延びる方向に沿って有しており、
前記化粧料塗布具は、前記把持部の延びる方向に沿って前記第１の端部側から該化粧料塗布具を見たとき、前記水平面に接する前記第１接触部を有し、該第１接触部を含む領域の二次元投影形状が略楕円形状であり、
前記化粧料塗布具は、前記把持部の延びる方向に沿って前記第２の端部側から該化粧料塗布具を見たとき、前記水平面に接する前記第２接触部を有し、該第２接触部を含む領域の二次元投影形状が略楕円形状であり、
略楕円形状である第１接触部の二次元投影形状における長軸Ａ１と、略楕円形状である第２接触部の二次元投影形状における長軸Ａ２とが、前記把持部の延びる方向に沿って見たときに交差しており、
第１接触部及び第２接触部が前記水平面と接触する状態で、長軸Ａ１が該水平面と平行になっており、長軸Ａ２が該水平面と直交しており、前記塗布部における第１の面及び第２の面が該水平面と略平行になっており、前記把持部の中心軸が該水平面に対して傾いており、第１の端部よりも第２の端部の方が、該把持部の中心軸から該水平面までの距離が大きくなっている、化粧料塗布具。
【請求項２】
前記化粧料塗布具を平坦な水平面上に把持部が略水平となる状態で、該化粧料塗布具は、前記把持部に、該水平面と接触する第１接触部及び第２接触部を、該把持部の延びる方向に沿って有している請求項１に記載の化粧料塗布具。
【請求項３】
前記把持部において、第１接触部が相対的に第１の端部寄りに位置しており、かつ第２接触部が相対的に第２の端部寄りに位置しており、
第１接触部の二次元投影形状における前記長径ａ１が、第２接触部の二次元投影形状における前記長径ａ２よりも長くなっている請求項１又は２に記載の化粧料塗布具。
【請求項４】
第１接触部の二次元投影形状における前記長径ａ１に対する、第２接触部の二次元投影形状における前記長径ａ２の比であるａ２／ａ１の値が０．５５以上０．９８以下である請求項３に記載の化粧料塗布具。
【請求項５】
前記把持部は、第２の端部寄りの位置の外周面に一対の窪み部を有しており、
一対の前記窪み部は、該把持部の延びる方向と直交する方向に沿って切断したときの略楕円形状の断面形状における長軸を挟んで対称な位置に設けられている請求項１ないし４のいずれか一項に記載の化粧料塗布具。
【請求項６】
前記化粧料塗布具を平坦な水平面上に把持部が略水平となる状態で、該化粧料塗布具は、前記塗布部に第１接触部を有し、前記把持部に第２接触部を有している請求項１に記載の化粧料塗布具。
【発明の詳細な説明】
【技術分野】
【０００１】
本発明は、化粧料塗布具に関する。
【背景技術】
【０００２】
ファンデーションやアイシャドウなどの化粧料は一般に、中皿と呼ばれる浅底の容器中に充填された状態で用いられる。この中皿は、コンパクト容器内に収容される。コンパクト容器には、化粧料を塗布するときに簡便さの点から、化粧ブラシや化粧チップ、あるいはパフなどの塗布具も一緒に収容されている。コンパクト容器では、無駄なスペースを省いて全体を小型化して携帯性を高めることが要求されている。したがって、コンパクト容器における塗布具の収納スペースもできる限り小さくすることが必要となる。しかし、収納スペースを小さくすると、塗布具をコンパクト容器から取り出すときに、該塗布具を指で摘まむための隙間が十分でないことに起因して、取り出し性が低下することがある。
【０００３】
コンパクト容器からの塗布具の取り出し性を高めることを目的として、特許文献１には、コンパクト容器における凹所に塗布具が収納された状態において、該塗布具が該凹所の底板から遊離状態となるように、該塗布具と該底板との間に部材を介在させることが提案されている（特許文献１参照）。
【０００４】
同様の目的で、特許文献２には、コンパクト容器における塗布具が収納される収納室の側壁面に突起を設け、該塗布具を該側壁面に向けて移動させたときに、該塗布具を該収納室から上方向に案内して脱出させるガイド部を、該突起に形成することが提案されている。特許文献３には、コンパクト容器内に収納されている化粧料の表面を被覆することで保護する保護シートを、塗布具の取り出しに利用して、該塗布具の取り出し性を高める提案がされている。
【先行技術文献】
【特許文献】
【０００５】
【特許文献１】特開平８−１７３２３４号公報
【特許文献２】特開２０１１−２４７７２号公報
【特許文献３】特開２０１２−１４３２９３号公報
【発明の概要】
【発明が解決しようとする課題】
【０００６】
上述の特許文献１ないし３に記載の技術は、コンパクト容器の構造の観点から、塗布具の取り出し性を高めようとするものである。しかし、この観点から塗布具の取り出し性を高めようとすると、コンパクト容器の構造が複雑になりがちであり、部材の点数の増加や、製造工程の複雑化などの不都合が起こりやすい。
【０００７】
したがって本発明の課題は、前述した従来技術が有する欠点を解消し得る化粧料塗布具を提供することにある。
【課題を解決するための手段】
【０００８】
本発明者らは、コンパクト容器の構造を工夫するアプローチではなく、塗布具の形状を工夫するアプローチによって前記課題が解決されることを知見した。本発明は、この知見に基づきなされたものであり、第１の端部及び第２の端部を有する、一方向に延びる形状の把持部と、該把持部の第１の端部に連接された塗布部とを有する化粧料塗布具であって、
前記化粧料塗布具は、平坦な水平面上に把持部が略水平となる状態（横置きした状態）で、該水平面と接触する第１接触部及び第２接触部を、該把持部の延びる方向に沿って有しており、
前記化粧料塗布具は、前記把持部の延びる方向に沿って前記第１の端部側から該化粧料塗布具を見たとき、前記水平面に接する前記第１接触部を有し、該第１接触部を含む領域の二次元投影形状が略楕円形状であり
前記化粧料塗布具は、前記把持部の延びる方向に沿って前記第２の端部側から該化粧料塗布具を見たとき、前記水平面に接する前記第２接触部を有し、該第２接触部を含む領域の二次元投影形状が略楕円形状であり、
略楕円形状である第１接触部の二次元投影形状における長軸Ａ１と、略楕円形状である第２接触部の二次元投影形状における長軸Ａ２とが、前記把持部の延びる方向に沿って見たときに交差している、化粧料塗布具を提供するものである。
【発明の効果】
【０００９】
本発明の化粧料塗布具は、これを水平面上に載置したときに必ず現れる最安定状態を有し、その最安定状態において、把持部を把持しやすい構造となっている。したがってコンパクト容器の狭い収納スペースに収納された場合であっても、本発明の化粧料塗布具はこれをコンパクト容器から容易に取り出すことができる。
【図面の簡単な説明】
【００１０】
【図１】図１は、本発明の化粧料塗布具の一実施形態を示す斜視図である。
【図２】図２（ａ）は、図１に示す化粧料塗布具の上面図であり、図２（ｂ）は、側面図である。
【図３】図３（ａ）は、図１に示す化粧料塗布具を平坦な水平面上に載置したときの最安定状態を示す側面図であり、図３（ｂ）は、図３（ａ）におけるｂ−ｂ線断面図であり、図３（ｃ）は、図３（ａ）におけるｃ−ｃ線断面図である。
【図４】図４は、図１に示す化粧料塗布具をコンパクト容器の収納凹部内に収納した状態を示す斜視図である。
【図５】図５（ａ）は、本発明の化粧料塗布具の別の実施形態の塗布具を示す斜視図であり、図５（ｂ）は、図５（ａ）に示す塗布具の上面図であり、図５（ｃ）は、図５（ａ）に示す塗布具の側面図である。
【図６】図６（ａ）は、本発明の化粧料塗布具の更に別の実施形態の塗布具を示す斜視図であり、図６（ｂ）は、図６（ａ）に示す塗布具の上面図であり、図６（ｃ）は、図６（ａ）に示す塗布具の側面図であり、図６（ｄ）は、図６（ａ）に示す塗布具を水平面上に載置した状態での把持部の幅方向断面図である。
【図７】図７（ａ）は、本発明の化粧料塗布具の更に別の実施形態の塗布具を平坦な水平面上に載置したときの最安定状態を示す側面図であり、図７（ｂ）は、図７（ａ）におけるｂ−ｂ線断面図であり、図７（ｃ）は、図７（ａ）におけるｃ−ｃ線断面図である。
【発明を実施するための形態】
【００１１】
以下本発明を、その好ましい実施形態に基づき図面を参照しながら説明する。図１及び図２には、本発明の化粧料塗布具の一実施形態が示されている。同図に示す化粧料塗布具１０は、一方向に延びる長い棒状の形状をした把持部２０を有している。把持部２０は、長手方向Ｘの両端に第１の端部２１及び第２の端部２２を有している。把持部は、塗布具１０を用いて化粧料を皮膚に塗布するときに指で把持される部位である。
【００１２】
塗布具１０は、把持部２０における第１の端部２１に連結部材２３を介して連接された塗布部３０を有している。塗布部２４は、これに化粧料を付着させて、該化粧料を肌に塗布するために用いられる。塗布部３０は第１の面３１及びそれと反対側に位置する第２の面を有する扁平体からなる。第１の面３１及び第２の面３２は、化粧料の塗布面として用いられる。塗布部３０を平面視したとき、第１の面３１及び第２の面３２はいずれも、塗布部３０の先端に向かうに連れて幅が漸次狭くなる形状をしている。塗布部３０は、例えばポリウレタン等の軟質材料からなる多孔質体から構成することができるが、これに限られない。
【００１３】
図３に示すとおり、塗布具１０は、これを平坦な水平面Ｈ上に把持部が略水平となる状態（すなわち塗布具１０を横置きした状態）で、該水平面Ｈと接触する少なくとも２箇所の接触部、すなわち第１接触部４１及び第２接触部４２を、把持部２０の延びる方向に沿って有する。詳細には、塗布具１０は、把持部２０の延びる方向に沿って第１の端部２１側から該塗布具１０を見たとき、水平面Ｈに接する前記の第１接触部４１を有するとともに、把持部２０の延びる方向に沿って第２の端部２２側から該塗布具１０を見たとき、水平面Ｈに接する前記の第２接触部４２を有する。第１接触部４１及び第２接触部４２はいずれも把持部２０に位置している。把持部２０において、第１接触部４１は相対的に第１の端部２１寄りに位置している。かつ第２接触部４２は相対的に第２の端部２２寄りに位置している。本実施形態では、第１接触部４１は、把持部２０における第１の端部２１に位置し、第２接触部４２は、把持部２０における第２の端部２２に位置している。なお図３においては、把持部２０は、第１の端部２１及び第２の端部２２の位置の２箇所のみで水平面Ｈに接触しているだけでなく、把持部２０の第１の端部２１から第２の端部２２の全域にわたって、把持部２０が水平面Ｈと接触している。この場合、第１接触部４１は第１の端部２１に位置し、第２接触部４２は第２の端部２２に位置するとともに、第１の端部２１から第２の端部２２にわたって、第１及び第２接触部４１，４２以外の複数の接触部が、隙間なく存在していると考える。
【００１４】
第１及び第２接触部４１，４２は、把持部２０の形状、特に横断面（すなわち長手方向Ｘと直交する幅方向Ｙの断面）の形状に応じ、点であるか、線であるか、又は面である。
【００１５】
ところで、塗布具１０は、把持部１０の軸線回りに転動可能なので、軸線回りの転動の状態に応じて把持部１０が水平面Ｈと接触する部位が、軸線回りに沿って複数箇所存在することになる。軸線回りに沿って複数箇所存在する接触する部位のうち、本発明における第１接触部４１及び第２接触部４２とは、水平面上で塗布具１０を把持部２０の軸線回りに転動させたときに、最も安定な状態、換言すれば重心の位置が最も低くなる状態において、把持部１０が水平面と接触する部位のことを言う。ここで言う重心とは、塗布具１０自体の重心及び／又は塗布具１０における把持部２０のみの重心のことである。塗布具１０の重心の位置を低くする観点から、図３（ａ）に示す塗布具１０の最も安定な載置状態において、塗布部３０は、その扁平面である第１の面３１及び第２の面３２が、水平面と略平行になっていることが好ましい。なお、最も安定な載置状態においては、塗布部３０は水平面Ｈに接触していない。ただし、塗布部３０が以下に示す第１接触部４１、略楕円形状、長径ａ１、短径ｂ１の幾何条件を満たしている場合は、塗布部３０が水平面Ｈに接触していても同様の効果を得ることができる。
【００１６】
第１及び第２接触部４１，４２は、これらを把持部２０の延びる方向Ｘに沿って見たときの二次元投影形状が、いずれも略楕円形状となっている。具体的には、図３（ｂ）及び図３（ｃ）に示すとおり、第１及び第２接触部４１，４２は、これらを把持部２０の延びる方向Ｘと直交する幅方向Ｙに沿って切断したときの断面形状が、いずれも略楕円形状になっている。「略楕円形状」は、完全な楕円形状だけでなく、楕円形状とみなせる程度に楕円形状に類似した形状も包含する。
【００１７】
以下の説明においては、図３（ｂ）及び図３（ｃ）に示すとおり、略楕円形状である第１接触部４１の二次元投影形状における長軸をＡ１とし、短軸をＢ１とする。そして長径をａ１とし、短径をｂ１とする。また、同様に略楕円形状である第２接触部４２の二次元投影形状における長軸をＡ２とし、短軸をＢ２とする。そして長径をａ２とし、短径をｂ２とする。そして、第１接触部４１は、略楕円形状となっている把持部２０の断面のうち、短軸Ｂ１の端点に位置する。一方、第２接触部４２は、略楕円形状となっている把持部２０の断面のうち、長軸Ａ２の端点に位置する。
【００１８】
図３（ｂ）及び図３（ｃ）に示すとおり、長軸Ａ１と長軸Ａ２とは、把持部２０の延びる方向に沿って見たときに交差している。具体的には、長軸Ａ１と長軸Ａ２とは、把持部２０の延びる方向に沿って見たときに略直交している。「略直交」は、完全に直交している場合だけでなく、完全に直交している場合から±３度の範囲で交差している場合も包含する。
【００１９】
長軸Ａ１と長軸Ａ２とが交差している条件下において、長軸Ａ１の長さである長径ａ１と、長軸Ａ２の長さである長径ａ２とを比較すると、長径ａ１と長径ａ２とは異なる長さになっている。
【００２０】
図１及び図２に示すとおり、把持部２０は、第１接触部４１から第２接触部４２へ向かうに連れて、第１接触部４１の断面形状である略楕円形状の長径ａ１が漸次短くなっており、第２接触部４２においては、該第２接触部４２の断面形状である略楕円形状の短径ｂ２と等しくなる。この場合、長手方向Ｘに沿って長径ａ１が短くなる割合は一定になっている。
【００２１】
一方、把持部２０は、第２接触部４２から第１接触部４１へ向かうに連れて、第２接触部４２の断面形状である略楕円形状の長径ａ２が漸次短くなっており、第１接触部４１においては、該第１接触部４１の断面形状である略楕円形状の短径ｂ１と等しくなる。この場合、長手方向Ｘに沿って長径ａ２が短くなる割合は一定になっている。このように、把持部２０は、第１接触部４１から第２接触部４２に向かうに連れて、その幅方向Ｙの断面形状が、第１接触部４１における断面形状から第２接触部４２における断面形状へと次第に変化していく。逆もまた然りであり、把持部２０は、第２接触部４２から第１接触部４１に向かうに連れて、その幅方向Ｙの断面形状が、第１接触部４２における断面形状から第１接触部４１における断面形状へと次第に変化していく。したがって、第１の端部２１及び第２の端部２２の間において、把持部２０の幅方向Ｙの断面形状が略円形となる箇所が存在する。
【００２２】
以上の形態の塗布具１０においては、把持部２０の幅方向Ｙの断面形状が、把持部２０のいずれの部位においても略楕円形状ないし略円形状であるので、塗布具１０は平坦な水平面Ｈ上で転動しやすい。そして、第１接触部４１及び第２接触部４２が水平面Ｈと接触する状態が、塗布具１０（及び把持部２０）の重心が最も低くなる安定状態となることから、転動した塗布具１０は、最安定状態である第１接触部４１及び第２接触部４２が水平面Ｈと接触する状態において転動を停止する。その結果、塗布具１０は必ず決まった状態で、つまり第１接触部４１及び第２接触部４２が水平面Ｈと接触する状態で、水平面Ｈ上に静止状態となる。この静止状態においては、把持部２０は、その第２の端部２２及びその近傍の部位での幅方向Ｙの断面形状が水平面Ｈに対して長軸Ａ２が直交する略楕円形状になっているので、つまり縦長の形状になっているので、第２の端部２２及びその近傍の部位を指で摘まみやすくなっている。その上、この静止状態においては、把持部２０の中心軸ＣＬ（図３（ａ）参照）は水平面Ｈに対して傾いており、第１の端部２１よりも第２の端部２２の方が、把持部２０の中心軸ＣＬから水平面Ｈまでの距離が大きくなっているので、第２の端部２２及びその近傍の部位を指で一層摘まみやすくなっている。したがって図４に示すとおり、コンパクト容器５０に特段の工夫を凝らさなくても、コンパクト容器５０の収納凹部５１内に収納された状態の塗布具１０を容易に取り出すことができる。また、該収納凹部５１のスペースが狭くても、塗布具１０を容易に取り出すことができる。
【００２３】
把持部２０の第２の端部２２の先端の形状は、略半球体、略半楕円球体、略楕円錐形状等の突出した形状であることが好ましい。また、塗布具１０がコンパクト容器５０の収納凹部５１に収納された状態において、把持部２０の第２の端部２２の先端部が、該収納凹部５１の内壁に点でもって接触することが好ましい。また、把持部２０の第２の端部２２の先端部が、把持部２０の中心軸ＣＬ上に位置していることが好ましい。このことによって、塗布具１０がコンパクト容器５０の収納凹部５１内に収納されているときに、例えば手に持ったコンパクト容器５０が傾いていて、第２の端部２２が収納凹部５１の内壁と接触した場合であっても、把持部２０と収納凹部５１の内壁との接触各部位は、把持部２０の中心軸ＣＬ上の一点のみなので、把持部２０と収納凹部５１との摩擦が低減される。その結果、把持部２０は転動しやすく、最安定状態へと容易に移行することができる。
【００２４】
以上の利点を更に顕著なものとする観点から、把持部２０においては、第１接触部４１の二次元投影形状（つまり第１接触部４１での幅方向Ｙでの把持部２０の断面形状）における長径ａ１を、第２接触部４２の二次元投影形状（つまり第２接触部４２での幅方向Ｙでの把持部２０の断面形状）における長径ａ２よりも長くすることが好ましい。この場合、水平面上での軸線周りの転動しやすさ、及び転動後に静止したとき、重心が低い方が、姿勢が安定しやすい観点から、長径ａ１は、長径ａ２の１０２％以上が好ましく、特に１１０％以上であることがより好ましく、１８０％以下が好ましく、特に１５０％以下であることがより好ましい。具体的には、長径ａ１は、長径ａ２の１０２％以上１８０％以下であることが好ましく、１１０％以上１５０％以下であることがより好ましい。
【００２５】
また、長径ａ１と長径ａ２との関係を両者の比率で表すと、長径ａ１に対する長径ａ２の比であるａ２／ａ１の値は、０．５５以上が好ましく、０．６５以上であることがより好ましく、０．９８以下が好ましく、０．９２以下であることがより好ましい。具体的には、ａ２／ａ１の値は、０．５５以上０．９８以下であることが好ましく、０．６５以上０．９２以下であることがより好ましい。
【００２６】
同様の観点から、長径ａ１＞長径ａ２であることを条件として、第１接触部４１の二次元投影形状（つまり第１接触部４１での幅方向Ｙでの把持部２０の断面形状）における短径ｂ１を、第２接触部４２の二次元投影形状（つまり第２接触部４２での幅方向Ｙでの把持部２０の断面形状）における長径ａ２よりも短くすることが好ましい。この場合、水平面上での軸線周りの転動しやすさ、及び転動後に静止したとき、重心が低い方が、姿勢が安定しやすく、かつ、その姿勢のときに第２端部及びその近傍が、第１の端部よりも相対的に高く位置している方が指で摘みやすい観点から、短径ｂ１は、長径ａ２の５０％以上が好ましく、６０％以上であることがより好ましく、９０％以下が好ましく、８０％以下であることがより好ましい。具体的には、短径ｂ１は、長径ａ２の５０％以上９０％以下であることが好ましく、６０％以上８０％以下であることがより好ましい。
【００２７】
更に同様の観点から、長径ａ１＞長径ａ２＞短径ｂ１であることを条件として、第１接触部４１（つまり第１接触部４１での幅方向Ｙでの把持部２０の断面形状）の二次元投影形状における短径ｂ１と、第２接触部４２の二次元投影形状（つまり第２接触部４２での幅方向Ｙでの把持部２０の断面形状）における短径ｂ２との関係は、水平面Ｈ上での軸線周りの転動しやすさ、及び第２の端部２２及びその近傍の部位を指で摘まみやすくする観点から、短径ｂ２は、短径ｂ１の５０％以上であることが好ましく、７０％以上であることがより好ましく、１５０％以下であることが好ましく、特に１３０％以下であることがより好ましい。具体的には、短径ｂ２は、短径ｂ１の５０％以上１５０％以下であることが好ましく、７０％以上１３０％以下であることがより好ましい。
【００２８】
図５（ａ）ないし（ｃ）には、本発明の別の実施形態が示されている。同図に示す実施形態は、図１ないし図４に示す実施形態の塗布具と比較して、把持部の構造が相違している。詳細には、本実施形態の塗布具１０における把持部２０は、第２の端部２２寄りの位置の側面に一対の窪み部２４，２４を有している。そして一対の窪み部２４，２４は、把持部２０の延びる方向Ｘと直交する方向Ｙに沿って切断したときの略楕円形状の断面形状における長軸Ａ２（図３（ｃ）参照）を挟んで対称な位置に設けられている。窪み部２４は、滑らかな凹曲面になっている。また窪み部２４は、その輪郭が、把持部２０の長手方向に長軸を有する略楕円形になっている。窪み部２４を、長軸Ａ２を挟んで対象な位置に設けることで、把持部２０の第２の端部２２寄りの位置の幅が一層小さくなるので、最安定状態で水平面上に載置された塗布具１０の把持部２０を一層容易に把持することができる。
【００２９】
図６（ａ）ないし（ｃ）には、本発明の更に別の実施形態が示されている。同図に示す実施形態も、図５に示す実施形態と同様に、図１ないし図４に示す実施形態の塗布具と比較して、把持部の構造が相違している。詳細には以下のとおりである。本実施形態においては、把持部２０は、その第１の端部２１の位置に第１接触部４１を有し、かつ第２の端部２２の位置に第２接触部４２を有する。そして、第１の端部及び第２の端部間の位置においては、把持部２０は水平面との接触部を有しない。
【００３０】
また、把持部２０は、第１接触部４１から第２接触部４２へ向かうに連れて、第１接触部４１の断面形状である略楕円形状の長径ａ１が漸次短くなっており、第２接触部４２においては、該第２接触部４２の断面形状である略楕円形状の短径ｂ２と等しくなる。この場合、長手方向Ｘに沿って長径ａ１が短くなる割合は一定になっている。第１接触部４１の断面形状である略楕円形状の短径ｂ１に関しては、該短径ｂ１は、第１の端部２１を起点として、該第１の端部２１から所定の距離隔てた位置Ｐまでその長さが変化しておらず一定になっている。そして、位置Ｐから第２の端部２２までの間では、短径ｂ１が漸次長くなっており、第２の端部２２においては、該第２接触部４２の断面形状である略楕円形状の長径ａ２と等しくなる。長手方向Ｘに沿って短径ｂ１が長くなる割合は一定になっている。
【００３１】
一方、把持部２０は、第２接触部４２から第１接触部４１へ向かうに連れて、第２接触部４２の断面形状である略楕円形状の短径ｂ２が漸次短くなっており、第１接触部４１においては、該第１接触部４１の断面形状である略楕円形状の長径ａ１と等しくなる。この場合、長手方向Ｘに沿って短径ｂ２が短くなる割合は一定になっている。第２接触部４２の断面形状である略楕円形状の長径ａ２に関しては、該長径ａ２は、第２の端部２２を起点として、該第２の端部２２から所定の距離隔てた位置Ｐまで漸次短くなっており、位置Ｐにおいては第１接触部４１の断面形状である略楕円形状の短径ｂ２と等しくなっている。長手方向Ｘに沿って長径ａ２が短くなる割合は一定になっている。そして、位置Ｐから第１の端部２１までの間では、短径ｂ２はその長さが変化しておらず一定になっている。
【００３２】
以上の構造の把持部２０を有する塗布具１０によれば、把持部２０における位置Ｐから第２の端部２２までの領域を、該把持部２０を指で摘まむための摘まみ上げ部２６として簡便に用いることができる。摘まみ上げ部２６は、図６（ｄ）の紙面右側に示すとおり、その断面形状が縦長になっているからである。一方、位置Ｐから第１の端部２１までの領域は、塗布具１０を用いて化粧料を肌に塗布するときに把持部２０を指で把持するための塗布時把持部２０として簡便に用いることができる。特に、塗布時把持部２０においては、把持部２０の幅方向Ｙでの断面における略楕円形状の長軸と、塗布部３０の塗布面である第１及び第２の面３１，３２とが略平行になっているので、塗布時把持部２６を指で把持した状態で、塗布部３０によって化粧料を肌に塗布するときの操作が行いやすくなっている。また、塗布時把持部２６を指で把持した状態と、摘まみ上げ部２５を指で把持した状態とでは、塗布部３０の塗布面である第１及び第２の面３１，３２の向きが略９０度変化するので、化粧料の塗布対象部位に応じて把持部２０を指で把持する位置を使い分けることもできる。これらの利点を一層顕著なものとする観点から、把持部２０における位置Ｐは、把持部２０の長手方向Ｘにおける中点よりも第２の端部２２寄りにあることが好ましい。例えば第１の端部２１を基準としたとき、位置Ｐは、把持部２０の全長の５０％以上の箇所に位置することが好ましく、特に６０％以上の箇所に位置することがより好ましく、９０％以下の箇所に位置することが好ましく、８０％以下の箇所に位置することがより好ましい。具体的には、位置Ｐは、把持部２０の全長の５０％以上９０％以下の箇所に位置することが好ましく、特に６０％以上８０％以下の箇所に位置することがより好ましい。
【００３３】
図７には、本発明の更に別の実施形態が示されている。本実施形態の塗布具１０は、これを平坦な水平面Ｈ上に把持部が略水平となる状態（すなわち塗布具１０を横置きした状態）で、塗布部３０に第１接触部４１を有し、把持部２０の第２の端部２２又はその近傍の位置に第２接触部４２を有している。第１接触部４１の形態は、先に説明した図１ないし図４に示す実施形態と同様である。第２接触部４２の形態も、図１ないし図４に示す実施形態と同様である。本実施形態の塗布具１０においても、これまでに説明してきた実施形態の塗布具と同様の効果が奏される。
【００３４】
なお、図５ないし図７に示す実施形態に関し、特に説明しなかった点については、図１ないし図４に示す実施形態に関する説明が適宜適用される。
【００３５】
以上の説明してきた各実施形態の化粧料塗布具１０は、例えば図４に示すコンパクト容器に収容されて、アイシャドウなどの化粧料の塗布に好適に用いられる。
【００３６】
以上、本発明をその好ましい実施形態に基づき説明したが、本発明は前記実施形態に制限されない。例えば前記実施形態における塗布部３０は、軟質多孔質材料からなる扁平体であったが、これに代えて、塗布部３０として、複数本の毛を一方向に束ねた集合体からなるブラシを用いてもよい。あるいは、塗布部３０は、端部２１の他に端部２２の側に第２の塗布部が設置されていてもよい。
【００３７】
また、前記実施形態においては、把持部２０における第１接触部４１が相対的に第１の端部２１寄りに位置しており、かつ第２接触部４２が相対的に第２の端部２２寄りに位置していたが、これとは逆に、第１接触部４１が相対的に第２の端部２２寄りに位置しており、かつ第２接触部４２が相対的に第１の端部２１寄りに位置していてもよい。
【００３８】
また、前記実施形態においては、把持部２０の第１の端部２１に連接して塗布部３０が設けられていたが、これに加えて、第２の端部２２に連接して第２の塗布部を設けてもよい。つまり、把持部２０の各端部に２１，２２にそれぞれ塗布部を設けてもよい。この実施形態においては、塗布具１０を平坦な水平面上に把持部が略水平となる状態（すなわち塗布具１０を横置きした状態）で、該塗布具は、塗布部３０に第１接触部４１を有し、更に第２の塗布部に第２接触部４２を有し、把持部には接触部を有さないようにすることができる。
【００３９】
更に、上述した一の実施形態における説明省略部分及び一の実施形態のみが有する要件は、それぞれ他の実施形態に適宜適用することができ、また、各実施形態における要件は、適宜、実施形態間で相互に置換可能である。例えば、図５に示す実施形態における窪み部２４を、図６に示す実施形態に適用することができる。
【００４０】
上述した実施形態に関し、本発明は更に以下の化粧料塗布具を開示する。
＜１＞
第１の端部及び第２の端部を有する、一方向に延びる形状の把持部と、該把持部の第１の端部に連接された塗布部とを有する化粧料塗布具であって、
前記化粧料塗布具は、平坦な水平面上に把持部が略水平となる状態で、該水平面と接触する第１接触部及び第２接触部を、該把持部の延びる方向に沿って有しており、
前記化粧料塗布具は、前記把持部の延びる方向に沿って前記第１の端部側から該化粧料塗布具を見たとき、前記水平面に接する前記第１接触部を有し、該第１接触部を含む領域の二次元投影形状が略楕円形状であり
前記化粧料塗布具は、前記把持部の延びる方向に沿って前記第２の端部側から該化粧料塗布具を見たとき、前記水平面に接する前記第２接触部を有し、該第２接触部含む領域の二次元投影形状が略楕円形状であり、
略楕円形状である第１接触部の二次元投影形状における長軸Ａ１と、略楕円形状である第２接触部の二次元投影形状における長軸Ａ２とが、前記把持部の延びる方向に沿って見たときに交差している、化粧料塗布具。
【００４１】
＜２＞
前記化粧料塗布具を平坦な水平面上に把持部が略水平となる状態で、該化粧料塗布具は、前記把持部に、該水平面と接触する第１接触部及び第２接触部を、該把持部の延びる方向に沿って有している前記＜１＞に記載の化粧料塗布具。
＜３＞
略楕円形状である第１接触部の二次元投影形状における前記長軸Ａ１と、略楕円形状である第２接触部の二次元投影形状における前記長軸Ａ２とが、前記把持部の延びる方向に沿って見たときに略直交している前記＜２＞に記載の化粧料塗布具。
＜４＞
前記把持部において、第１接触部が相対的に第１の端部寄りに位置しており、かつ第２接触部が相対的に第２の端部寄りに位置しており、
第１接触部の二次元投影形状における前記長径ａ１が、第２接触部の二次元投影形状における前記長径ａ２よりも長くなっている前記＜２＞又は＜３＞に記載の化粧料塗布具。
＜５＞
第１接触部の二次元投影形状における短径ｂ１が、第２接触部の二次元投影形状における前記長径ａ２よりも短くなっている前記＜４＞に記載の化粧料塗布具。
＜６＞
第１接触部の二次元投影形状における前記短径ｂ１と、第２接触部の二次元投影形状における短径ｂ２とが同じであるか、又は
第１接触部の二次元投影形状における前記短径ｂ１の方が、第２接触部の二次元投影形状における前記短径ｂ２よりも長くなっている前記＜５＞に記載の化粧料塗布具。
【００４２】
＜７＞
第１接触部の二次元投影形状における前記長径ａ１に対する、第２接触部の二次元投影形状における前記長径ａ２の比であるａ２／ａ１の値が０．５５以上０．９８以下である前記＜４＞ないし＜６＞のいずれか１に記載の化粧料塗布具。
＜８＞
前記第１及び第２接触部は、これらを前記把持部の延びる方向と直交する方向に沿って切断したときの断面形状が、いずれも略楕円形状である前記＜２＞ないし＜７＞のいずれか１に記載の化粧料塗布具。
＜９＞
第１接触部から第２接触部へ向かうに連れて、第１接触部の断面形状である略楕円形状の長径が漸次短くなっており、かつ
第２接触部から第１接触部へ向かうに連れて、第２接触部の断面形状である略楕円形状の長径が漸次短くなっている前記＜８＞に記載の化粧料塗布具。
＜１０＞
第１接触部から第２接触部へ向かうに連れて、第１接触部の断面形状である略楕円形状の長径が漸次短くなっており、
第１接触部の断面形状である略楕円形状の短径は、第１の端部を起点として、該第１の端部から所定の距離隔てた位置までその長さが変化しておらず一定になっており、かつ位置Ｐから第２の端部２２までの間では、短径ｂ１が漸次長くなっている前記＜８＞に記載の化粧料塗布具。
＜１１＞
前記把持部は、第２の端部寄りの位置の外周面に一対の窪み部を有しており、
一対の前記窪み部は、該把持部の延びる方向と直交する方向に沿って切断したときの略楕円形状の断面形状における長軸を挟んで対称な位置に設けられている前記＜７＞ないし＜９＞のいずれか１に記載の化粧料塗布具。
【００４３】
＜１２＞
前記化粧料塗布具を平坦な水平面上に把持部が略水平となる状態で、該化粧料塗布具は、前記塗布部に第１接触部を有し、前記把持部に第２接触部を有している前記＜１＞に記載の化粧料塗布具。 
＜１３＞
前記把持部の第２の端部に連接された第２の塗布部を更に有し、
前記化粧料塗布具を平坦な水平面上に把持部が略水平となる状態で、該化粧料塗布具は、前記塗布部に第１接触部を有し、前記第２の塗布部に第２接触部を有している前記＜１＞に記載の化粧料塗布具。
【符号の説明】
【００４４】
１０  化粧料塗布具
２０  把持部
２１  第１の端部
２２  第２の端部
２３  連結部材
２４  窪み部
２５  摘まみ上げ部
３０  塗布部
３１  第１の面
３２  第２の面
４１  第１接触部
４２  第２接触部
５０  コンパクト容器
５１  収納凹部
Ｈ  水平面
【図１】
0006405161.tif 000002
【図２】
0006405161.tif 000003
【図３】
0006405161.tif 000004
【図４】
0006405161.tif 000005
【図５】
0006405161.tif 000006
【図６】
0006405161.tif 000007
【図７】
0006405161.tif 000008